(57)【特許請求の範囲】
【請求項１】
薄肉金属板のプレス成形体よりなり、底部に中心孔(1) を有すると共に、その底部の外周が僅かに筒状に立ち上げられた化粧用の薄肉皿部材(2) と、
厚肉金属板のプレス成形体よりなり、底部に中心孔(1) を有すると共に、その底部の外周が僅かに筒状に立ち上げられ、外周が前記薄肉皿部材(2) の内周に整合し且つ、外周に金具係止用の矩形孔(3) を有する厚肉皿部材(4) と、
両皿部材(2) (4) の前記中心孔(1) に整合する小径部(5) が大径部(7) の先端部に段付に形成され、後端部外周の１８０°離間した位置に一対のリング嵌着孔(8) が設けられた支持軸(9) と、
一部が欠切されて直径が弾性的に拡縮できる略環状のリング(10)と、
前記厚肉皿部材(4) の内部に挿入され、平坦部(11)の両端に僅かの高さの脚部(12)(13)が設けられ、その一方の脚部(12)に前記矩形孔(3) に整合する係止部(14)がその厚肉皿部材(4) の半径方向外方に突設され、他方の脚部(13)に係止用のピン孔(15)が穿設され、平坦部(11)に壁面取付用のビス孔(16)が穿設された取付金具(17)と、
を具備し、
互いの底部が接するように、前記薄肉皿部材(2) に前記厚肉皿部材(4) が嵌着された状態で、夫々の中心孔(1) に前記支持軸(9) の前記小径部(5) が挿入され、その先端が前記厚肉皿部材(4) にカシメ固定され、
前記厚肉皿部材(4) の前記矩形孔(3) から離間し且つ、前記取付金具(17)の前記ピン孔(15)に整合する位置で、両皿部材(2) (4) の外周にピン孔(18)が貫通されると共に、少なくとも前記厚肉皿部材(4) のそのピン孔(18)内に雌ねじ(19)が形成され、
その雌ねじ(19)に係止ピン(20)が螺着されて、その先端部が前記取付金具(17)のピン孔(15)に挿脱自在に係止されるタオル掛け。
【請求項２】
請求項１において、
前記取付金具(17)の一方の脚部(12)の先端に前記係止部(14)が設けられ、他方の脚部(13)の根元に前記ピン孔(15)が形成され、
前記係止ピン(20)はその先端が円錐状に形成され、
取付金具(17)が壁面(25)に固定され、その係止部(14)が前記矩形孔(3) に嵌着した状態で、前記係止ピン(20)の円錐状部(20a) の先端が前記ピン孔(15)の脚先端側孔縁に接触するように、そのピン孔(15)が取付金具(17)に形成されて、その係止ピン(20)がピン孔(15)により深く挿入されるに従い、両皿部材(2) (4) が壁面側に相対移動されるように構成されたタオル掛け。
【請求項３】
請求項１または請求項２において、
前記支持軸(9) の大径部(7) の先端縁（21）が円錐台形状に形成されたタオル掛け。
【発明の詳細な説明】
【０００１】
【発明の属する技術分野】
本発明は、流し（シンク）やトイレ内の壁面に取付けられるリング状のタオル掛けに関する。
【０００２】
【従来の技術】
この種のタオル掛けは、壁面取付金具と、その取付金具に被嵌して固定される皿状部材と、その皿状部材の中心に突設された支軸と、その支軸にぶら下げられるリングとを有する。
【０００３】
【発明が解決しようとする課題】
従来のタオル掛けは、支軸と皿状部材とを鋳物の一体成形体で形成することにより、体裁の良いリング支持部を構成していた。この一体成形体のリング支持部は、成形後に皿状部材の内面に内側から係止部を加工していた。このような従来のタオル掛けは、製造コストがかかり高価なものにならざるを得なかった。
また、取付金具に被嵌される皿状部材の端面と壁面との間に僅かな隙間ができ易い欠点があった。
そこで本発明は、低コストで製造し易く体裁の良いタオル掛けを提供することを課題とする。
【０００４】
【課題を解決するための手段】
請求項１に記載の本発明は、薄肉金属板のプレス成形体よりなり、底部に中心孔(1) を有すると共に、その底部の外周が僅かに筒状に立ち上げられた化粧用の薄肉皿部材(2) と、
厚肉金属板のプレス成形体よりなり、底部に中心孔(1) を有すると共に、その底部の外周が僅かに筒状に立ち上げられ、外周が前記薄肉皿部材(2) の内周に整合し且つ、外周に金具係止用の矩形孔(3) を有する厚肉皿部材(4) と、
両皿部材(2) (4) の前記中心孔(1) に整合する小径部(5) が大径部(7) の先端部に段付に形成され、後端部外周の１８０°離間した位置に一対のリング嵌着孔(8) が設けられた支持軸(9) と、
一部が欠切されて直径が弾性的に拡縮できる略環状のリング(10)と、
前記厚肉皿部材(4) の内部に挿入され、平坦部(11)の両端に僅かの高さの脚部(12)(13)が設けられ、その一方の脚部(12)に前記矩形孔(3) に整合する係止部(14)がその厚肉皿部材(4) の半径方向外方に突設され、他方の脚部(13)に係止用のピン孔(15)が穿設され、平坦部(11)に壁面取付用のビス孔(16)が穿設された取付金具(17)と、
を具備し、
互いの底部が接するように、前記薄肉皿部材(2) に前記厚肉皿部材(4) が嵌着された状態で、夫々の中心孔(1) に前記支持軸(9) の前記小径部(5) が挿入され、その先端が前記厚肉皿部材(4) にカシメ固定され、
前記厚肉皿部材(4) の前記矩形孔(3) から離間し且つ、前記取付金具(17)の前記ピン孔(15)に整合する位置で、両皿部材(2) (4) の外周にピン孔(18)が貫通されると共に、少なくとも前記厚肉皿部材(4) のそのピン孔(18)内に雌ねじ(19)が形成され、
その雌ねじ(19)に係止ピン(20)が螺着されて、その先端部が前記取付金具(17)のピン孔(15)に挿脱自在に係止されるタオル掛けである。
【０００５】
請求項２に記載の本発明は、請求項１において、
前記取付金具(17)の一方の脚部(12)の先端に前記係止部(14)が設けられ、他方の脚部(13)の根元に前記ピン孔(15)が形成され、
前記係止ピン(20)はその先端が円錐状に形成され、
取付金具(17)が壁面(25)に固定され、その係止部(14)が前記矩形孔(3) に嵌着した状態で、前記係止ピン(20)の円錐状部(20a) の先端が前記ピン孔(15)の脚先端側孔縁に接触するように、そのピン孔(15)が取付金具(17)に形成されて、その係止ピン(20)がピン孔(15)により深く挿入されるに従い、両皿部材(2) (4) が壁面側に相対移動されるように構成されたタオル掛けである。
請求項３に記載の本発明は、請求項１または請求項２において、
前記支持軸(9) の大径部(7) の先端縁（21）が円錐台形状に形成されたタオル掛けである。
【０００６】
【発明の実施の形態】
次に、図面に基づいて本発明のタオル掛けの実施の形態につき説明する。
図１は本発明のタオル掛けの分解斜視図であり、図２はその取付け状態を示す要部縦断面図、図３は図２における III部拡大図である。
このタオル掛けは、薄肉皿部材２と厚肉皿部材４と支持軸９とリング10，取付金具17並びに係止ピン20を有する。
薄肉皿部材２は、化粧用の薄肉金属板で板厚が０．３〜１ｍｍ程度のステンレス鋼板をプレス成形して制作される。その薄肉皿部材２の底部には、中心孔１が穿設されている。
【０００７】
次に、厚肉皿部材４は一例として２〜４ｍｍ程度のアルミニューム板のプレス成形体よりなり、底部に中心孔１が穿設されている。この中心孔１と薄肉皿部材２の中心孔１とは整合する。そして底部の外周が僅かに筒状に立ち上げられ、その外周が薄肉皿部材２の内周に整合する。さらにその厚肉皿部材４の外周には、細長い矩形孔３が穿設される。
次に、支持軸９は大径部７の先端部に小径部５が段付に形成されている。この小径部５の外直径は、薄肉皿部材２，厚肉皿部材４の中心孔１に整合する。そして大径部７の先端縁21は、テーパに形成されている。大径部７の後端部外周には、１８０°離間して一対のリング嵌着孔８が設けられている。
【０００８】
次に、リング10は一部が欠切されて直径が弾性的に拡縮する略環状に形成されている。即ち、リング10の両端面は欠切部22を介して互いに対向する。
そして薄肉皿部材２に厚肉皿部材４が嵌着された状態で、夫々の中心孔１に支持軸９の小径部５が挿入されて、その段付面が薄肉皿部材２突き当てられる。そして小径部５の先端がカシメられ、それにより厚肉皿部材４と薄肉皿部材２と支持軸９とが一体化する。このとき、支持軸９の大径部７の先端縁21はテーパに形成されているため、その先端縁21によって薄肉皿部材２の中心孔１に僅かの打痕が形成されても、その打痕はテーパの奥に形成されるため外部から殆ど見えない。それにより、大径部７と薄肉皿部材２と厚肉皿部材４とが一体的なもののような外観を呈する。逆にいうと先端縁21がテーパに形成されていないと、カシメによって大径部７の先端縁が薄肉皿部材２の中心孔１の外周に環状の打痕を形成し、大径部７と薄肉皿部材２との一体性を損なう証と見られ、タオル掛けとしての高級感を損なう。
【０００９】
このようにして大径部７と薄肉皿部材２と厚肉皿部材４とが一体化された後に、矩形孔３から１８０°離れた位置において薄肉皿部材２と厚肉皿部材４とにピン孔18が穿設され、そこに雌ねじ19が螺刻される。
次に、取付金具17は略矩形の金属板のプレス成形体からなり、その平坦部11の両端に脚部12，13が立ち上げられる。脚部12，13は夫々外周が円弧状に形成され且つ、一方の脚部12の先端には係止部14が平坦部11の長手方向外方に突設される。この係止部14の断面は、厚肉皿部材４の矩形孔３に整合する。そして他方の脚部13の付根部には、ピン孔15が穿設される。さらに取付金具17の平坦部11には、ビス孔16が一対穿設される。なお、前記ピン孔15及びビス孔16は脚部折り曲げ前にプレスにより穿設される。
そして係止ピン20が厚肉皿部材４のピン孔18の雌ねじ19に螺着される。この係止ピン20の先端部には、円錐状部20ａが形成されている。
【００１０】
【取付方法】
次に、このようなタオル掛けを壁面に取付ける方法につき説明する。
先ず、図２の如く取付金具17の平坦部11を壁面25に接触させ、ビス６を介してその取付金具17を壁面25に固定する。次に、厚肉皿部材４の雌ねじ19に螺着された係止ピン20を半径方向外方に移動した状態で、厚肉皿部材４の矩形孔３を取付金具17の係止部14に嵌着する。次いで、係止ピン20の後端面にドライバーの先端を嵌着し、それを回転して係止ピン20を厚肉皿部材４の中心側に移動させる。このとき、図３の如く係止ピン20の円錐状部20ａはピン孔15内において脚部13の先端側孔縁に接触する。係止ピン20をさらに回転することにより、円錐状部20ａのより大径部に脚部13の一方の縁のみが接触していく。すると相対的に薄肉皿部材２，厚肉皿部材４が壁面25側に移動し、それらの先端面が壁面25に確実に接触する。それにより、壁面25と薄肉皿部材２，厚肉皿部材４との隙間がなくなる。そして支持軸９のリング嵌着孔８にリング10の両端を嵌着し、タオル掛けの取付けを完了する。
【００１１】
【発明の作用・効果】
請求項１に記載の本発明は、厚肉皿部材４に矩形孔３と雌ねじ19を有するピン孔18とが設けられ、それが薄肉皿部材２に嵌着され、支持軸９の小径部５が中心孔１に挿通されて薄肉皿部材２，厚肉皿部材４間をカシメ固定するものであるから、矩形孔３が外部に表れず体裁の良いタオル掛けとなる。そして壁面25に取付金具17が固定された状態で、矩形孔３が取付金具17の係止部14に係止され、係止ピン20が雌ねじ19に螺着されて、それが取付金具17のピン孔15に係止されるように構成したから、取付け易く製造容易なタオル掛けを安価に提供できる。
【００１２】
請求項２に記載の本発明によれば、係止ピン20の先端に円錐状部20ａが設けられ、取付金具17のピン孔15にその円錐状部20ａの先端が挿入されるとき、ピン孔15の脚先端側孔縁に接触するように形成され、その係止ピン20がピン孔15により深く挿入されるに従い、薄肉皿部材２，厚肉皿部材４が壁面25側に相対移動するように構成されたから、薄肉皿部材２，厚肉皿部材４と壁面との間に隙間が生じることを防止できる。
請求項３に記載の本発明は、支持軸９の大径部７の先端縁21が円錐台形状に形成されているから、支持軸９の小径部５の先端をカシメた場合、先端縁21による薄肉皿部材２表面の環状の打痕が大径部７よりも内側に位置して隠れるため、体裁が良く且つ高級感のあるタオル掛けとなり得る。
【図面の簡単な説明】
【図１】本発明のタオル掛けの分解斜視図。
【図２】同タオル掛けの取付け状態を示す要部縦断面図。
【図３】図２の III部拡大図。
【符号の説明】
１  中心孔
２  薄肉皿部材
３  矩形孔
４  厚肉皿部材
５  小径部
６  ビス
７  大径部
８  リング嵌着孔
９  支持軸
10  リング
11  平坦部
12，13  脚部
14  係止部
15  ピン孔
16  ビス孔
17  取付金具
18  ピン孔
19  雌ねじ
20  係止ピン
20ａ  円錐状部
21  先端縁
22  欠切部
24  カシメ部
25  壁面
【図１】
0004523201.tif 000002
【図２】
0004523201.tif 000003
【図３】
0004523201.tif 000004